(57)【要約】【課題】複数のチューナセレクタを含むセレクタが、トグル形式のセレクタ切替部を操作することによって変更されるとき、複数のチューナセレクタの中から容易に特定のチューナセレクタを選択可能なセレクタ切替装置を提供することである。また、セレクタが切り替えられるとき、不用意にラジオチューナの設定が切り替えられることを防止可能なセレクタ切替装置を提供することである。【解決手段】  セレクタ切替装置は、セレクタを変更する指示が入力されたとき、複数の放送セレクタと送信装置セレクタとを含むセレクタを、所定の順序に従って変更する。変更後のセレクタが放送セレクタであると判断されたとき、放送受信部が受信中の放送方式と同一の放送方式の放送セレクタへ変更する。この結果、ユーザは複数の放送セレクタの中から、前回ユーザが聴取していた放送方式の放送セレクタを容易に選択できる。【選択図】図１
2013123151.tif 000002
【特許請求の範囲】
【請求項１】
コンテンツを送信する送信装置とコンテンツを受信する受信装置とが接続される接続部と、
複数の異なる放送方式で放送されるコンテンツを受信する放送受信部と、
セレクタの設定に基づいて、前記送信装置から送信されるコンテンツまたは前記放送受信部によって受信されるコンテンツを前記受信装置へ出力する出力手段とを備える音声処理装置におけるセレクタ切替装置であって、
前記各放送方式を選択するための放送セレクタと、前記各送信装置を選択するための送信装置セレクタとを含む前記セレクタを、所定の順序で管理するセレクタ順管理手段と、
ユーザ操作によって前記セレクタを変更する指示が入力されたとき、前記所定の順序に従って前記セレクタを変更するセレクタ変更手段と、
前記セレクタを変更する指示が入力されたとき、変更後の前記セレクタが前記放送セレクタであるか否かを判断するセレクタ判断手段と、
前記放送セレクタであると判断された場合、前記放送受信部が受信している前記放送方式を特定する放送方式特定手段とを備え、
前記セレクタ変更手段が、前記セレクタを、特定された前記放送方式を選択するための前記放送セレクタへ変更する、セレクタ切替装置。
【請求項２】
前記音声処理装置が、
前記送信装置から送信される前記コンテンツまたは前記放送受信部が受信する前記コンテンツを、第２受信装置に出力する第２出力手段と、
前記放送受信部が受信する前記コンテンツを前記第２受信装置へ出力するように設定する出力設定手段とを備え、
前記セレクタ切替装置が、
変更後の前記セレクタが前記放送セレクタであると判断されたとき、前記放送受信部が受信する前記コンテンツが前記第２受信装置から出力するように設定されているか否かを判断する出力設定判断手段をさらに備え、
前記第２受信装置から出力するように設定されていると判断された場合、前記セレクタ変更手段が、前記放送方式特定手段によって特定される前記放送方式の前記放送セレクタへ変更する、請求項１に記載のセレクタ切替装置。
【請求項３】
前記セレクタが前記放送セレクタへ変更された時から、再度ユーザ操作によって前記セレクタを変更する指示が入力されるまでの経過時間を計測する経過時間計測手段と、
前記セレクタを変更する指示が入力されたとき、前記経過時間が所定時間より大きいか否かを判断する経過時間判断手段と、
前記放送受信部が受信する前記コンテンツの前記放送方式と周波数との組み合わせをプリセットとして管理するプリセット管理手段とをさらに備え、
前記経過時間が前記所定時間以下であると判断されたとき、前記セレクタ変更手段が、前記セレクタを前記所定の順序に従って前記放送セレクタ以外の次の前記セレクタへ変更し、
前記経過時間が前記所定時間より大きいと判断されたとき、前記プリセット管理手段によって管理されている前記プリセットの前記放送方式と前記周波数との組み合わせにおける次の前記コンテンツを受信するように前記放送受信部を設定する、請求項１または２に記載のセレクタ切替装置。
【請求項４】
前記経過時間判断手段が、前記経過時間が前記所定時間より大きいと判断したとき、前記放送受信部が受信している前記放送方式とは異なる他の放送方式へ切り替える放送方式切替手段と、
切り替えられた前記放送方式を受信放送方式として決定する放送方式決定手段と、
前記受信放送方式が決定された後、さらにユーザ操作によって前記セレクタを変更する指示が入力されたとき、前記放送受信部が受信している前記放送方式の前記周波数を切り替える周波数切替手段とをさらに備える、請求項３に記載のセレクタ切替装置。
【請求項５】
前記経過時間判断手段が、前記経過時間が前記所定時間より大きいと判断したとき、前記プリセット管理手段によって管理されている前記プリセットのうち、前記放送方式特定手段によって特定される前記放送方式と同一の前記放送方式の前記プリセットにおける次の前記周波数の前記コンテンツを受信するように前記放送受信部を設定する、請求項３に記載のセレクタ切替装置。
【請求項６】
前記経過時間判断手段によって、前記経過時間が前記所定時間より大きいと判断されたとき、前記放送受信部が受信している前記放送方式と異なる放送方式について前記放送方式の情報と前記周波数の情報との組み合わせである仮受信情報を表示装置に表示させる情報表示手段と、
前記表示部に前記仮受信情報が表示させた時から一定時間が経過しているか否かを判断する表示後経過時間判断手段と、
表示後、前記一定時間が経過したと判断されたとき、前記表示部に表示されている前記放送方式と前記周波数との前記コンテンツを受信するよう前記放送受信部に設定する受信部設定手段とをさらに備える、請求項３に記載のセレクタ切替装置。
【請求項７】
請求項１〜６のいずれかに記載のセレクタ切替装置の各手段を前記セレクタ切替装置に実行させる、セレクタ切替プログラム。
【発明の詳細な説明】
【技術分野】
【０００１】
本発明は、音声処理装置におけるセレクタ切替装置に関する。
【背景技術】
【０００２】
音声処理装置（以下、ＡＶレシーバという。）は、ＣＤプレーヤ、ＤＶＤプレーヤ、Ｂｌｕ−ｒａｙ（登録商標、以下Ｂｌｕ−ｒａｙという。）プレーヤ、ＨＤＤプレーヤ等の複数のソース機器と接続可能であり、さらに、放送電波を受信するためのラジオチューナを備える。ラジオチューナは複数の放送方式（ＡＭ変調方式やＦＭ変調方式、以下、バンドという。）で放送される電波を受信可能である。ＡＶレシーバの入力セレクタがユーザ操作によって変更されることで、ＡＶレシーバから出力される音声信号が切り替えられる。例えば、入力セレクタの変更によってＣＤプレーヤが選択されたとき、ＡＶレシーバはＡＶレシーバに接続されるＣＤプレーヤから送信される音声信号をＤ／Ａ（デジタルーアナログ）変換し、増幅し、スピーカーから出力する。また、例えば、チューナセレクタが入力セレクタとして選択された場合、ＡＶレシーバのラジオチューナによって受信される電波信号に含まれる音声信号がＡＶレシーバに接続される受信装置（以下、スピーカーという。）から出力される。なお、ラジオチューナによって放送電波を受信する代わりにネットワークによってサーバから配信されるコンテンツを受信してもよい。コンテンツは、例えば映像信号や音声信号である。
【０００３】
ＡＶレシーバの中には、複数の音声処理部（Ｄ／Ａ変換部や増幅部）を備えるものがある。複数の音声処理部を備えるＡＶレシーバは、例えばＣＤプレーヤから送信される音声信号をメインルームに設置されるスピーカーから出力すると同時に、ラジオチューナによって受信される音声信号を別のルーム（以降、ゾーン２という。）に設置されるスピーカーから出力することが可能である。
【０００４】
入力セレクタを操作したときのＡＶレシーバの入力セレクタの切り替わり順が、ＤＶＤ、ＢＤ（Ｂｌｕ−ｒａｙ  Ｄｉｓｃ、以下、ＢＤという。）、ＴＵＮＥＲ（ＡＭ）、ＴＵＮＥＲ（ＦＭ）、ＧＡＭＥ、ＣＤの場合を仮定する。また、入力セレクタはロータリエンコーダ式であると仮定する。例えば、ユーザが前回ＦＭバンドの音声信号を聴取していた場合であって、入力セレクタが、ＢＤからＴＵＮＥＲ（ＡＭ）に切り替えられたとき、ラジオチューナのバンドと周波数とがＡＭバンドの設定に切り替えられる。さらにユーザは入力セレクタを操作し、セレクタをチューナセレクタ（ＦＭ）に変更することで、前回聴取していたＦＭバンドの放送を聴取する。すなわち、ユーザは前回ＦＭバンドの放送を聴取していた場合であっても、一度チューナセレクタ（ＡＭ）を経由してからＦＭバンドを選択しなくてはならない。常にＦＭバンドを聴取するユーザにとっては、毎回ＡＭバンドを経由してセレクタを切り替えなくてはならず、煩わしい。
【０００５】
さらに、以下の問題がある。ロータリエンコーダ式の入力セレクタの場合、ＢＤからＧＡＭＥへセレクタを変更する場合、ＢＤセレクタとＧＡＭＥセレクタとの間にＴＵＮＥＲセレクタが存在するので、セレクタ切替において必ずラジオのバンドが切り替わる。ラジオチューナがＡＶレシーバに１つのみ備えられる場合、ゾーン２に設置されるスピーカーでＴＵＮＥＲ（ＡＭ）を聴取していたとき、ＡＶレシーバの入力セレクタがＢＤからＧＡＭＥへ変更されると、ＴＵＮＥＲ（ＦＭ）セレクタを経由することによって、ゾーン２のスピーカーから出力されるラジオ放送の受信バンドはＦＭバンドに切り替わってしまう。
【０００６】
特開平５−２２７０４５号公報には、１つのバンド切替スイッチにより、バンド切替と、プリセット切替の両方を実行することが記載されている。
【０００７】
しかし、上記技術によると、セレクタが変更されるときにラジオチューナの受信バンドが変更されてしまうという問題を解決できない。また、上記技術によると、ＡＭとＦＭの２つのセレクタに限定しているので、チューナセレクタ以外の複数のセレクタを含むセレクタ切替に対応できない。
【０００８】
特開平１０−３３４６５１号公報には、機能切替キーを押下することによって、ロータリエンコーダの機能をセレクタ切替モードと、周波数切替モードとに変更することが記載されている。
【０００９】
しかしながら、上記技術によると、セレクタ切替モードと周波数切替モードとを切り替えるために機能切替キーを押下する必要がある。また、セレクタが変更されるときにラジオチューナの受信バンドが変更されてしまうという問題を解決できない。
【先行技術文献】
【特許文献】
【００１０】
【特許文献１】特開平５−２２７０４５号公報
【特許文献２】特開平１０−３３４６５１号公報
【発明の概要】
【発明が解決しようとする課題】
【００１１】
本発明は上記従来の課題を解決するためになされたものであり、その目的は、複数の放送セレクタを含むセレクタが、トグル形式のセレクタ切替部を操作することによって変更されるとき、複数の放送セレクタの中から容易に特定の放送セレクタを選択可能なセレクタ切替装置を提供することである。
【００１２】
本発明の別の目的は、セレクタが切り替えられるとき、不用意に放送方式の設定が切り替えられることを防止可能なセレクタ切替装置を提供することである。
【課題を解決するための手段】
【００１３】
本発明の好ましい実施形態によるセレクタ切替装置は、コンテンツを送信する送信装置とコンテンツを受信する受信装置とが接続される接続部と、複数の異なる放送方式で放送されるコンテンツを受信する放送受信部と、セレクタの設定に基づいて、前記送信装置から送信されるコンテンツまたは前記放送受信部によって受信されるコンテンツを前記受信装置へ出力する出力手段とを備える音声処理装置におけるセレクタ切替装置であって、前記各放送方式を選択するための放送セレクタと、前記各送信装置を選択するための送信装置セレクタとを含む前記セレクタを、所定の順序で管理するセレクタ順管理手段と、ユーザ操作によって前記セレクタを変更する指示が入力されたとき、前記所定の順序に従って前記セレクタを変更するセレクタ変更手段と、前記セレクタを変更する指示が入力されたとき、変更後の前記セレクタが前記放送セレクタであるか否かを判断するセレクタ判断手段と、前記放送セレクタであると判断された場合、前記放送受信部が受信している前記放送方式を特定する放送方式特定手段とを備え、前記セレクタ変更手段が、前記セレクタを、特定された前記放送方式を選択するための前記放送セレクタへ変更する。
【００１４】
セレクタ切替装置は、セレクタを変更する指示が入力されたとき、複数の放送セレクタと送信装置セレクタとを含むセレクタを、所定の順序に従って変更する。変更後のセレクタが放送セレクタであると判断されたとき、放送受信部が受信中の放送方式と同一の放送方式の放送セレクタへ変更する。この結果、ユーザは複数の放送セレクタの中から、前回ユーザが聴取していた放送方式の放送セレクタを容易に選択できる。
【００１５】
好ましい実施形態においては、前記音声処理装置が、前記送信装置から送信される前記コンテンツまたは前記放送受信部が受信する前記コンテンツを、第２受信装置に出力する第２出力手段と、前記放送受信部が受信する前記コンテンツを前記第２受信装置へ出力するように設定する出力設定手段とを備え、前記セレクタ切替装置が、変更後の前記セレクタが前記放送セレクタであると判断されたとき、前記放送受信部が受信する前記コンテンツが前記第２受信装置から出力するように設定されているか否かを判断する出力設定判断手段をさらに備え、前記第２受信装置から出力するように設定されていると判断された場合、前記セレクタ変更手段が、前記放送方式特定手段によって特定される前記放送方式の前記放送セレクタへ変更する。
【００１６】
音声処理装置は、放送受信部が受信するコンテンツを第２受信装置に出力可能である。セレクタ切替装置は、セレクタを変更する指示が入力されたとき、第２受信装置から、放送受信部が受信するコンテンツを出力するよう設定されているか否かを判断し、出力するように設定されていた場合、放送受信部が受信中の放送方式の放送セレクタへ変更する。この結果、第２受信装置から出力されるコンテンツの放送方式や周波数が変更されることを防止できる
【００１７】
本発明の別の好ましい実施形態によるセレクタ切替装置は、前記セレクタが前記放送セレクタへ変更された時から、再度ユーザ操作によって前記セレクタを変更する指示が入力されるまでの経過時間を計測する経過時間計測手段と、前記セレクタを変更する指示が入力されたとき、前記経過時間が所定時間より大きいか否かを判断する経過時間判断手段と、前記放送受信部が受信する前記コンテンツの前記放送方式と周波数との組み合わせをプリセットとして管理するプリセット管理手段とをさらに備え、  前記経過時間が前記所定時間以下であると判断されたとき、前記セレクタ変更手段が、前記セレクタを前記所定の順序に従って前記放送セレクタ以外の次の前記セレクタへ変更し、前記経過時間が前記所定時間より大きいと判断されたとき、前記プリセット管理手段によって管理されている前記プリセットの前記放送方式と前記周波数との組み合わせにおける次の前記コンテンツを受信するように前記放送受信部を設定する。
【００１８】
セレクタ切替装置は、放送セレクタへ変更後、再度セレクタを変更する指示が入力されたとき、放送セレクタへ切り替えられてからの経過時間を取得し、所定時間以内に操作されたか否かを判断する。所定時間以内に操作されたと判断された場合、放送セレクタ以外のセレクタへ変更する。セレクタ切替装置は、所定時間より時間が経過した後に操作されたと判断された場合、プリセットに従って受信する放送方式と周波数とを変更する。セレクタ切替装置は、セレクタを変更する指示が入力されたとき、セレクタが放送セレクタへ変更されてからの経過時間に応じて、セレクタ変更またはプリセットに基づく周波数変更のいずれかを実行する。この結果、セレクタ切替装置に放送方式切替用ボタン、及び周波数変更用のボタンを設ける必要がない。また、所定時間以内にセレクタを変更する指示が入力されたと判断された場合、放送セレクタ以外のセレクタへ変更するので、放送セレクタを選択する意図がないユーザは容易に放送セレクタ以外のセレクタを選択できる。
【００１９】
本発明の別の好ましい実施形態によるセレクタ切替装置は、前記経過時間判断手段が、前記経過時間が前記所定時間より大きいと判断したとき、前記放送受信部が受信している前記放送方式とは異なる他の放送方式へ切り替える放送方式切替手段と、切り替えられた前記放送方式を受信放送方式として決定する放送方式決定手段と、前記受信放送方式が決定された後、さらにユーザ操作によって前記セレクタを変更する指示が入力されたとき、前記放送受信部が受信している前記放送方式の前記周波数を切り替える周波数切替手段とをさらに備える。
【００２０】
セレクタ切替装置は、放送セレクタに切り替えられた後、再度セレクタを変更する指示が入力されたとき、所定時間以内にセレクタを変更する指示が入力されたか否かを判断し、所定時間より時間が経過した後に入力されたと判断された場合、放送受信部が受信している放送方式を他方の放送方式へ切り替える。さらに、再度セレクタを変更する指示が入力されたとき、受信している放送方式における周波数を切り替える。この結果、放送セレクタが選択された後、ユーザは放送方式を切り替えることができる。さらに放送方式を確定した後、ユーザは放送方式の受信周波数を設定することができる。すなわち、ユーザは、放送セレクタの放送方式の変更と放送方式の周波数の変更とを、セレクタを変更する指示と同一の指示によって実行できる。
【００２１】
本発明の別の好ましい実施形態によるセレクタ切替装置は、前記経過時間判断手段が、前記経過時間が前記所定時間より大きいと判断したとき、前記プリセット管理手段によって管理されている前記プリセットのうち、前記放送方式特定手段によって特定される前記放送方式と同一の前記放送方式の前記プリセットにおける次の前記周波数の前記コンテンツを受信するように前記放送受信部を設定する。
【００２２】
セレクタ切替装置は、放送受信部が受信中の放送方式の放送セレクタに切り替えられた後、再度セレクタを変更する指示が入力されたとき、放送セレクタへ切り替えてからの経過時間を取得し、所定時間より後に操作されたと判断された場合、放送受信部が受信中の放送方式と同一の放送方式のプリセットの周波数を放送受信部に設定する。この結果、放送受信部が受信する放送方式が切り替わることないので、同一の放送方式における周波数を設定することができる。
【００２３】
本発明の別の好ましい実施形態によるセレクタ切替装置は、前記経過時間判断手段によって、前記経過時間が前記所定時間より大きいと判断されたとき、前記放送受信部が受信している前記放送方式と異なる放送方式について前記放送方式の情報と前記周波数の情報との組み合わせである仮受信情報を表示装置に表示させる情報表示手段と、前記表示部に前記仮受信情報が表示させた時から一定時間が経過しているか否かを判断する表示後経過時間判断手段と、表示後、前記一定時間が経過したと判断されたとき、前記表示部に表示されている前記放送方式と前記周波数との前記コンテンツを受信するよう前記放送受信部に設定する受信部設定手段とをさらに備える。
【００２４】
セレクタ切替装置は、放送セレクタへ変更された後、再度セレクタを変更する指示が入力されたとき、放送セレクタへ変更されてからの経過時間を判断する。経過時間が所定時間より大きいと判断されたとき、放送受信部が受信中の放送方式とは異なる他の放送方式の情報と周波数の情報とを表示する。そして、一定時間セレクタを変更する指示が入力されなかったとき、放送受信部は表示中の放送方式及び周波数の組み合わせに設定される。セレクタを変更する指示が入力されてから一定時間の間、変更先の放送方式及び周波数の表示のみを実行し、放送受信部の設定を実行しないので、ユーザは所望しない放送方式や周波数の設定が実行されることを防止できる。
【発明の効果】
【００２５】
複数のチューナセレクタを含むセレクタが、トグル形式のセレクタ切替部を操作することによって変更されるとき、複数のチューナセレクタの中から容易に特定のチューナセレクタを選択可能なセレクタ切替装置を提供できる。
【００２６】
セレクタが切り替えられるとき、不用意にラジオチューナの設定が切り替えられることを防止可能なセレクタ切替装置を提供できる。
【図面の簡単な説明】
【００２７】
【図１】本発明の好ましい実施形態によるブロック図である。
【図２】ＡＶレシーバが有するテーブルである。
【図３】ＡＶレシーバが有するテーブルである。
【図４】ＡＶレシーバが有するテーブルである。
【図５】ＡＶレシーバが実行するフローチャートである。
【図６】ＡＶレシーバの表示部の表示である。
【図７】ＡＶレシーバが実行するフローチャートである。
【図８】ＡＶレシーバの表示部の表示である。
【図９】ＡＶレシーバが実行するフローチャートである。
【図１０】ＡＶレシーバの表示部の表示である。
【図１１】ＡＶレシーバが実行するフローチャートである。
【図１２】ＡＶレシーバの表示部の表示である。
【発明を実施するための形態】
【００２８】
以下、本発明の好ましい実施形態によるセレクタ切替装置について、図面を参照して具体的に説明するが、本発明はこれらの実施形態には限定されない。
【００２９】
図１は、本発明の好ましい実施形態によるＡＶレシーバ、ソース機器及びスピーカーを示すブロック図である。ＡＶレシーバ２００には、１又は複数のソース機器１００が接続可能である。ソース機器１００は、例えばＣＤプレーヤ、ＤＶＤプレーヤ、ＢＤプレーヤ、ＨＤＤプレーヤなどである。ＡＶレシーバ２００は、ソース機器１００から送信される音声信号や映像信号を受信し、ＡＶレシーバ２００に接続されるＴＶ等に映像を出力し、ＡＶレシーバ２００に接続されるスピーカー３００Ａ、３００Ｂから音声を出力する。また、ＡＶレシーバ２００はラジオチューナ１７を備えるので、ラジオチューナ１７が受信するラジオ放送に含まれる音声信号をスピーカー３００Ａ、３００Ｂから出力することが可能である。
【００３０】
ＡＶレシーバ２００は、制御部１１、メモリ１２、表示部１３、入力セレクタ１４、音声処理部１５Ａ、１５Ｂ、増幅部１６Ａ、１６Ｂ、ラジオチューナ１７、及び操作部１８Ａ、１８Ｂを備える。
【００３１】
制御部１１はメモリ１２に格納されたプログラムを実行することによりＡＶレシーバ２００全体を制御するものであり、例えばマイコンやＣＰＵである。メモリ１２は、ＡＶレシーバ２００の設定内容などを保持するものであり、例えばＲＯＭやＲＡＭである。メモリ１２は、後述するセレクタテーブル１０１、チューナプリセット１０２、及び最終聴取プリセット１０３を有する。
【００３２】
表示部１３は、ＦＬディスプレイやＯＳＤ（Ｏｎ  Ｓｃｒｅｅｎ  Ｄｉｓｐｌａｙ）である。なお、以下、表示部１３はＡＶレシーバ２００本体に備えられるＦＬディスプレイであるとする。表示部１３は、ＡＶレシーバ２００において選択されているセレクタ名や、ラジオの受信バンド名、ラジオの受信周波数等を表示する。
【００３３】
入力セレクタ１４は、ＡＶレシーバ２００の複数の入力端子に入力される音声信号または映像信号の中から１または複数の入力信号を選択する。例えば、ＡＶレシーバ２００にＣＤプレーヤとＤＶＤプレーヤとが接続され、ＤＶＤセレクタがユーザ操作によって選択された場合、ＡＶレシーバ２００はＤＶＤプレーヤから入力される音声信号及び映像信号を入力セレクタ１４によって選択する。入力セレクタ１４によって選択された音声信号は、音声処理部１５Ａ及び１５Ｂに入力される。
【００３４】
以下、特に区別する必要がないときは、音声処理部１５Ａ、１５Ｂを単に音声処理部１５といい、増幅部１６Ａ、１６Ｂを単に増幅部１６という。音声処理部１５は、ＤＡＣ、及びＤＳＰ等で構成される。増幅部１６は、アンプである。なお、ソース機器１００から入力される映像信号に関しては、本願発明の主体ではないので、省略する。入力セレクタ１４によって選択された音声信号は、音声処理部１５のＤＳＰによって音場処理等が実行され、ＤＡＣによってデジタルーアナログ変換され、増幅部１６によって増幅される。増幅された音声信号は、メインルームに設置されるスピーカー３００Ａ及びゾーン２ルームに設置されるスピーカー３００Ｂから出力される。
【００３５】
ＡＶレシーバ２００は、スピーカー３００Ａとスピーカー３００Ｂとに、異なる音声信号を出力できる。例えば、ＡＶレシーバ２００は、スピーカー３００Ａに、ソース機器１００から入力される音声信号を出力し、スピーカー３００Ｂに、ラジオチューナ１７で受信されるラジオ放送の音声信号を出力する。
【００３６】
ラジオチューナ１７は、ラジオ放送（例えばＡＭ放送やＦＭ放送）を受信する。ラジオチューナ１７は、受信バンドの変更や受信周波数の変更を制御部１１の制御によって実行する。
【００３７】
操作部１８Ａは、ロータリエンコーダ式のセレクタ切替用インターフェースである。ユーザは操作部１８Ａを左右のいずれかの方向に回すことで、ＡＶレシーバ２００のセレクタを変更する。なお、操作部１８Ａは、ロータリエンコーダ式に限らず、例えばタクトキー（ＵＰ／ＤＯＷＮキー）等であってもよい。なお、以下では操作部１８Ａはロータリエンコーダ式のインターフェースであるとする。
【００３８】
操作部１８Ｂは、セレクタ切替以外の操作を実行するためのインターフェースである。操作部１８Ｂは例えば、ＡＶレシーバ２００の音量調整、ゾーン２のスピーカー３００Ｂへの音声出力のオンオフ設定、ラジオチューナ１７が受信中のバンドと周波数との設定値をプリセット値として登録する操作を受け付ける。
【００３９】
図２は、メモリ１２のセレクタテーブル１０１を示す。ＡＶレシーバ２００は操作部１８Ａの操作によって、セレクタをセレクタテーブル１０１の並び順に従って切り替える。例えば、ＡＶレシーバ２００のセレクタがセレクタ番号１のＤＶＤに設定されている場合に、操作部１８Ａが時計方向に１ステップ回されたとき、ＡＶレシーバ２００の制御部１１はセレクタをＢＤに切り替える。この結果、ＡＶレシーバ２００に接続されるＢＤプレーヤから出力される音声及び映像信号が入力セレクタ１４によって選択される。
【００４０】
図３は、メモリ１２のチューナプリセット１０２を示す。チューナプリセット１０２には、プリセット番号に対応付けて、バンドと周波数とが登録される。セレクタがチューナセレクタ（ＡＭ）またはチューナセレクタ（ＦＭ）に設定されているときに、ユーザ操作によって操作部１８Ｂが押下されると、ラジオチューナ１７が受信中の受信バンドと周波数との組み合わせがチューナプリセット１０２に登録される。なお、ＡＶレシーバ２００が受信可能な周波数をバンドごとに自動的にスキャンし、自動的にチューナプリセット１０２に登録してもよい。図３のチューナプリセット１０２は、４つのプリセットが登録されている状態を示す。
【００４１】
図４は、最終聴取プリセット１０３を示す。最終聴取プリセット１０３は、バンドごとにＡＶレシーバ２００で前回聴取されていたプリセット値を記憶する。例えば、図４の最終聴取プリセット１０３は、ＦＭバンドについてはプリセット番号１であり、ＡＭバンドについてはプリセット番号２であることを示す。なお、プリセット番号は図３のチューナプリセット１０２の番号である。なお、最終聴取プリセット１０３のプリセット番号の更新は、ＡＶレシーバ２００において受信周波数が変更されたとき、自動的に実行される。なお、最終聴取プリセット１０３は、プリセット番号の代わりに、バンドごとの受信周波数を記憶してもよい。
【００４２】
以上の構成を備えるＡＶレシーバ２００の制御部１１は、操作部１８Ａによってチューナセレクタに変更されたとき、ラジオチューナ１７が受信中のバンドのチューナセレクタに切り替える。チューナセレクタ選択後、一定時間後に再度操作部１８Ａが操作されたとき、ラジオチューナ１７のバンド切替、及び周波数切替を実行する。また、制御部１１は、操作部１８Ａの操作によってチューナセレクタに変更されたとき、ゾーン２のスピーカー３００Ｂからラジオチューナ１７によって受信される音声信号を出力しているか否かを判断し、ゾーン２において出力していると判断した場合は、ラジオチューナ１７が受信中のバンドのチューナセレクタに切り替える。なお、ＡＶレシーバ２００の制御部１１は、ゾーン２のスピーカー３００Ｂからラジオチューナ１７によって受信される音声信号を出力していると判断した場合、メインルームのスピーカー３００Ａから音声出力をせずに、ミュート状態としてもよい。
【００４３】
［セレクタ切替時の実施例１］
以下、本発明の動作を説明する。図５は操作部１８Ａがユーザによって操作されたときにＡＶレシーバ２００の制御部１１が実行するフローチャートを示す。図６は図５のフローチャートが実行されるときに表示部１３に表示される情報を示す。図５の説明において、図６を援用する。本実施形態では、ＡＶレシーバ２００のチューナセレクタが選択されたとき、制御部１１はラジオチューナ１７が受信中のバンドのチューナセレクタへ切り替える。チューナセレクタへ切替後、規定時間経過後にさらにセレクタを切り替える操作が実行された場合、制御部１１は、受信周波数の切替動作、またはプリセットの切替動作を実行する。
【００４４】
ＡＶレシーバ２００の制御部１１は、ロータリエンコーダ式のセレクタである操作部１８Ａが操作されたか否かを判断し（Ｓ１０１）、操作されたと判断されたとき（Ｓ１０１でＹＥＳ）、タイマがスタート済みであるか否かを判断する（Ｓ１０２）。タイマについては後述する。制御部１１は、操作部１８Ａが操作されていないと判断したとき（Ｓ１０１でＮＯ）、操作部１８Ａが操作されるのを待つ。図５のフローチャートにおいて、最初に操作部１８Ａが操作される前のＡＶレシーバ２００のセレクタはＢＤであるとする（図６の（Ａ））。
【００４５】
制御部１１は、タイマが開始されていないと判断したとき（Ｓ１０２でＮＯ）、切替先のセレクタがチューナセレクタ（ＡＭ）またはチューナセレクタ（ＦＭ）であるか否かを判断する（Ｓ１０４）。図２のセレクタテーブル１０１にはＴＵＮＥＲ（ＡＭ）セレクタがＴＵＮＥＲ（ＦＭ）セレクタよりも前に登録されているので、Ｓ１０４でチューナセレクタ（ＡＭ）であるか否かを判断する。
【００４６】
制御部１１は、切替先セレクタがチューナセレクタ（ＡＭ）でないと判断されたとき（Ｓ１０４でＮＯ）、セレクタテーブル１０１に登録されている次のセレクタに切り替える（Ｓ１１３）。
【００４７】
制御部１１は、切替先セレクタがチューナセレクタ（ＡＭ）であると判断されたとき（Ｓ１０４でＹＥＳ）、タイマのカウントを開始する（Ｓ１０５）。タイマは、開始されたとき、カウントアップを開始し、メモリ１２に保持されるカウント値を更新する。カウント値の初期値は０である。制御部１１は、ラジオチューナ１７が受信中の受信バンドを特定し、バンドがＡＭであるか否かを判断し（Ｓ１０６）、ＡＭバンドであると判断された場合（Ｓ１０６でＹＥＳ）、チューナセレクタをチューナセレクタ（ＡＭ）へ変更する。そして、入力セレクタ１４は、ラジオチューナ１７が受信する音声信号を音声処理部１５へ出力する。制御部１１は、ＦＭバンドであると判断された場合（Ｓ１０６でＮＯ）、チューナセレクタをチューナセレクタ（ＦＭ）へ変更する（Ｓ１０８）。チューナセレクタ（ＡＭ）であると判断され（Ｓ１０４でＹＥＳ）、ラジオチューナ１７が受信中の受信バンドがＡＭバンドであると判断されたとき（Ｓ１０６でＹＥＳ）、表示部１３は図６の（Ａ）から図６の（Ｂ）へ変更される。すなわち、ＡＶレシーバ２００のセレクタがチューナセレクタ（ＡＭ）に切り替えられる。
【００４８】
Ｓ１０７またはＳ１０８の処理を実行後、再度操作部１８Ａが操作されたとき、制御部１１は、操作部１８Ａが操作されたと判断し（Ｓ１０１でＹＥＳ）、タイマが開始済みであるか否かを判断し（Ｓ１０２）、開始済みであると判断されたとき（Ｓ１０２でＹＥＳ）、タイマ値が規定値より大きいか否かを判断する（Ｓ１０３）。タイマ値が規定値以下であると判断された場合（Ｓ１０３でＮＯ）、Ｓ１０５の処理によってタイマのカウントが開始されてからの経過時間が短いので、セレクタをチューナセレクタに切り替える必要がないと判断され、制御部１１はタイマカウントをストップし（Ｓ１１２）、チューナセレクタ以外の次のセレクタに切り替える（Ｓ１１３）。すなわち図２のセレクタテーブル１０１のＧＡＭＥセレクタが選択される。Ｓ１０３のタイマの規定値は例えば５００ミリ秒などである。規定値は５００ｍｓより大きくてもよいし、小さくてもよい。タイマのカウント値が規定値より小さいと判断された場合（Ｓ１０３でＮＯ）、表示部１３は、Ｓ１１３の処理によって、図６の（Ｂ）から図６の（Ｃ）へ変更される。すなわち、チューナセレクタ以外のセレクタであるＧＡＭＥセレクタへ変更される。
【００４９】
タイマのカウント値が規定値より大きいと判断された場合（Ｓ１０３でＹＥＳ）、制御部１１は、受信周波数の切替またはプリセット切替をラジオチューナ１７に対して実行する（Ｓ１０９）。周波数の切替処理とは、ラジオチューナ１７が受信する周波数を変更する処理であり、例えばＡＭバンドの１５００ｋＨｚからＡＭバンドの１５１０ｋＨｚへ変更する。表示部１３は、図６の（Ｂ）から図６の（Ｄ）へ変更される。プリセット切替処理とは、図３のチューナプリセット１０２に基づいて受信バンドまたは受信周波数を切り替える処理である。例えば、プリセット番号１のＦＭ７８．８Ｍｈｚへ切り替えられる。なお、制御部１１は、チューナプリセット１０２に基づいてプリセットを切り替えるとき、Ｓ１０７またはＳ１０８で選局されたバンドと同一のバンドのプリセットのみを対象に切り替えてもよい。例えば制御部１１がＳ１０７においてチューナセレクタ（ＡＭ）を選択した場合、プリセット番号２の１５００Ｈｚに切り替え、ＦＭバンドのプリセットには切り替えない。この場合、制御部１１はユーザがセレクタ切替前に聴取していた受信バンドと異なるバンドに変更しないので、スピーカー３００において同一のバンドの放送のみが出力される。
【００５０】
制御部１１は、Ｓ１０９の処理によって切り替えられた受信バンド及び受信周波数が一定時間内に確定されたか否かを判断する（Ｓ１１０）。一定時間は、例えば３秒などである。受信バンド及び受信周波数の確定は、一定時間内に操作部１８ＡをＡＶレシーバ２００の正面方向へ押し込むユーザ操作等によって実行される。例えば、図６の（Ｄ）において、ユーザ操作によって一定時間内に操作部１８Ａが押し込まれたとき、Ｓ１１０でＹＥＳと判断される。制御部１１は、一定時間内に確定操作がされなかったと判断された場合（Ｓ１１０でＮＯ）、Ｓ１０１に戻り、操作部１８Ａが操作されるのを待つ。さらに操作部１８Ａが操作された場合、Ｓ１０９の処理によって次の周波数またはプリセットに切り替える。このとき、図６の（Ｄ）において周波数表示、またはバンド表示が切り替わる。なお、制御部１１はＳ１０９の処理によって切替先の周波数またはプリセットの情報の表示のみを実行し、実際のラジオチューナ１７への設定をＳ１１０の処理によって確定されたときに実行してもよい。また、制御部１１は、ユーザによって操作部１８Ａが一定時間以内に操作されなかったとき、受信バンド及び受信周波数を確定し、一定時間以内に操作部１８Ａが操作されたとき、Ｓ１０１以降の処理を実行してもよい。制御部１１は、確定されたと判断した場合（Ｓ１１０でＹＥＳ）、タイマのカウントを停止し（Ｓ１１１）、Ｓ１０１以降の処理を実行する。以降、タイマは停止状態であるので、Ｓ１０２でＮＯと判断され、Ｓ１０４でＮＯと判断され、Ｓ１１３のセレクタ切替処理が実行される。例えば、図６の（Ｄ）において受信バンド及び受信周波数が確定された後、操作部１８Ａが時計方向に１ステップ回されたとき、ＧＡＭＥセレクタに変更される（図６の（Ｅ））。
【００５１】
以上の実施形態によると、ラジオチューナ１７が受信中のバンドに応じてチューナセレクタが自動的に選択される。また、セレクタの切替先がチューナセレクタであった場合、チューナセレクタが選択されてから規定時間後に、操作部１８Ａが操作されると、プリセットの切替や受信周波数の切替を実行する。すなわちユーザは操作部１８Ａの操作のみによって、セレクタの切換えと、受信バンドの周波数切替処理またはプリセットの切替処理とを実行できる。また、制御部１１は操作部１８Ａに対する操作の時間間隔によって、操作部１８Ａが操作されたときの処理をセレクタ切替からプリセットまたは受信周波数の切替へ変更するので、ユーザは操作部１８Ａの処理内容を変更するために他の操作部（例えば操作部１８Ｂ）を操作する必要がない。
【００５２】
［セレクタ切替時の実施例２］
図７は、第２の実施形態のフローチャートを示す。図５と同一の処理には同一符号を付し、説明を省略する。図８は図７のフローチャートが実行されるときに表示部１３に表示される情報を示す。図７の説明において、図８を援用する。本実施形態では、ＡＶレシーバ２００のチューナセレクタが選択された後、規定時間経過後にさらにセレクタを切り替える操作が実行された場合、制御部１１は、受信バンドの切替動作を実行する。そして、さらに操作部１８Ａが操作されたとき、制御部１１は受信周波数の切替、またはプリセットの切替を実行する。
【００５３】
制御部１１は、操作部１８Ａの操作によるセレクタの切替先がチューナセレクタ（ＡＭ）であるか否かを判断し（Ｓ１０４）、チューナセレクタ（ＡＭ）であると判断した場合（Ｓ１０４でＹＥＳ）、タイマのカウントを開始する（Ｓ１０５）。制御部１１は、Ｓ１０７またはＳ１０８の処理を実行し、Ｓ１０１によって操作部１８Ａの操作を待つ。チューナセレクタ（ＡＭ）であると判断され（Ｓ１０４でＹＥＳ）、ラジオチューナ１７が受信中の受信バンドがＡＭであると判断されたとき（Ｓ１０６でＹＥＳ）、表示部１３は図８の（Ｂ）へ変更される。
【００５４】
制御部１１は、操作部１８Ａがさらに操作されたとき（Ｓ１０１でＹＥＳ）、タイマがスタート済みであると判断し（Ｓ１０２でＹＥＳ）、タイマのカウント値が規定値以内であると判断されたとき（Ｓ１０３でＮＯ）、Ｓ１０４によって切替先セレクタがチューナセレクタ（ＡＭ）ではないと判断され（Ｓ１０４でＮＯ）、フラグをＯＦＦに変更し（Ｓ２０２）、Ｓ１１２以降の処理を実行する。操作部１８Ａが操作されたとき、制御部１１は、フラグがＯＮであるか否かによって、バンドを切り替える処理を実行するか、周波数またはプリセットを変更するかを判断する。
【００５５】
制御部１１は、タイマのカウント値が規定値より大きいと判断したとき（Ｓ１０３でＹＥＳ），フラグがＯＮであるか否かを判断する（Ｓ２０１）。フラグとは、１ビットで構成される値であり、１または０のいずれかである。フラグの値が１であるとき、フラグはＯＮであると判断される。フラグの初期値は０であるので、Ｓ２０１でＮＯと判断され、制御部１１は、ラジオのバンド切替を実行する（Ｓ２０２）。バンド切替は、制御部１１がＳ１０７でＡＭバンドを選局した場合は図４に示す最終聴取プリセット１０３におけるＦＭバンドの周波数に変更し、Ｓ１０８でＦＭバンドを選局した場合は最終聴取プリセット１０３におけるＡＭバンドの周波数に変更する（Ｓ２０２）。例えば、図８の（Ｂ）の状態において、一定時間内に操作部１８Ａが時計方向へ１ステップ回されたとき（Ｓ１０３でＹＥＳ）、図８の（Ｄ）の状態へ変更される。すなわち、Ｓ２０２の処理によって、ラジオチューナ１７が受信するバンドが図８の（Ｂ）のＡＭバンドから図８の（Ｄ）のＦＭバンドへ切り替わる。
【００５６】
制御部１１は、Ｓ２０２で切り替えられた受信バンドと受信周波数との組み合わせを、一定時間内に確定したか否かを判断する（Ｓ２０３）。制御部１１は、一定時間内に操作がなく確定されなかった判断したとき（Ｓ２０３でＮＯ）、タイマを停止し（Ｓ２０５）、Ｓ１０１以降の処理を実行する。さらに操作部１８Ａが操作されたとき、制御部１１はタイマが停止しているのでＳ１０２でＮＯと判断し、切替先セレクタはチューナセレクタ（ＡＭ）ではないと判断し（Ｓ１０４でＮＯ）、フラグをＯＦＦに変更し（Ｓ２０２）、タイマを停止し（Ｓ１１２）、次のセレクタ（ＧＡＭＥ）に変更する（Ｓ１１３）。なお、Ｓ２０３の処理によって一定時間内に確定されなかった場合、Ｓ２０５の処理によってタイマを停止せずに、再度操作部１８Ａの操作を受信し、Ｓ２０２のバンド切替が実行されるようにしてもよい。
【００５７】
制御部１１は、一定時間内に確定処理が実行されたと判断したとき（Ｓ２０３でＹＥＳ）、フラグをＯＮに変更し（Ｓ２０４）、Ｓ１０１の操作を待つ。さらに操作部１８Ａが操作されたとき（Ｓ１０１でＹＥＳ）、Ｓ２０４の処理によってフラグがＯＮになっているので、Ｓ２０１でＹＥＳと判断され、受信中のバンドの受信周波数の変更処理、またはチューナプリセット１０２に基づいてラジオチューナ１７が受信中のバンドと同一バンドのプリセットの切替処理を実行する（Ｓ２０６）。例えば、図８の（Ｄ）の状態において、操作部１８Ａが時計方向へ１ステップ回されたとき、図８の（Ｅ）の状態へ変更される。
【００５８】
制御部１１は、一定時間内に変更された受信周波数またはプリセットを確定したか否かを判断し（Ｓ２０７）、確定したと判断した場合（Ｓ２０７でＹＥＳ）、フラグをＯＦＦにし（Ｓ２０８）、タイマのカウントを停止し（Ｓ１１１）、Ｓ１０１以下の処理を継続する。さらに操作部１８Ａが操作されたときは、タイマが停止しているので、Ｓ１０２でＮＯと判断され、通常のセレクタ切替処理（Ｓ１１３）が実行される。なお、制御部１１は、ユーザによって操作部１８Ａが一定時間以内に操作されなかったとき、受信周波数またはプリセットを確定し、一定時間以内に操作部１８Ａが操作されたとき、Ｓ１０１以降の処理を実行してもよい。
【００５９】
制御部１１は、一定時間内に受信周波数またはプリセットを確定する操作がされなかったと判断したとき（Ｓ２０７でＮＯ）、Ｓ１０１の処理に戻る。さらに操作部１８Ａが操作されたとき、制御部１１は、タイマがカウント中なので、Ｓ１０２でＹＥＳ，Ｓ１０３でＹＥＳと判断し、フラグはＯＮのままなのでＳ２０１でＹＥＳと判断し、Ｓ２０６の処理によって再度、受信周波数またはプリセットを変更する。なお、ラジオチューナ１７が受信するバンド及び周波数が確定された後（Ｓ２０７でＹＥＳ）、さらに操作部１８Ａが時計方向に１ステップ回されると、図８の（Ｅ）から図８の（Ｆ）へ表示が変更される。すなわち、セレクタがチューナセレクタ以外のセレクタであるＧＡＭＥセレクタへ変更される。
【００６０】
本実施形態によると、ユーザは操作部１８Ａの操作のみによって、ＡＶレシーバ２００のセレクタの変更、ラジオチューナ１７が受信する受信バンドの切替、及びプリセットの切替処理を実行できる。
【００６１】
［セレクタ切替時の実施例３］
図９は、第３の実施形態のフローチャートを示す。図５と同一の処理には同一符号を付し、説明を省略する。図１０は図９のフローチャートが実行されるときに表示部１３に表示される情報を示す。図９の説明において、図１０を援用する。本実施形態では、ゾーン２ルームにおいてラジオチューナ１７が受信する音声信号を出力するように設定されていた場合、操作部１８Ａの操作によってメインルームのセレクタが変更されたとき、制御部１１はラジオチューナ１７が受信する受信バンドのチューナセレクタに変更する。
【００６２】
図９のフローチャートにおいて、操作部１８Ａが最初に操作される前のＡＶレシーバ２００のセレクタはＢＤであるとする（図１０の（Ａ））。制御部１１は、操作部１８Ａが操作されたとき（Ｓ１０１でＹＥＳ）、タイマが開始されていないと判断し（Ｓ１０２でＮＯ）、切替先のセレクタがチューナセレクタ（ＡＭ）であると判断する（Ｓ１０４でＹＥＳ）。制御部１１は、ゾーン２のスピーカー３００Ｂから音声信号を出力するように設定されているセレクタ（以下、ゾーン２セレクタという。）がチューナセレクタ（ＡＭ）またはチューナセレクタ（ＦＭ）のいずれかであって、かつゾーン２がＯＮであるか否かを判断する（Ｓ３０１）。上記した通り、ＡＶレシーバ２００はゾーン２ルームに設置されるスピーカー３００Ｂから、ラジオチューナ１７で受信する音声信号を出力できる。なお、ゾーン２出力設定がＯＮである場合、制御部１１はゾーン２のスピーカー３００Ｂへ音声信号を出力する。
【００６３】
制御部１１は、ゾーン２セレクタがチューナセレクタのＡＭまたはＦＭのいずれかであって、ゾーン２出力がＯＮに設定されていると判断したとき（Ｓ３０１でＹＥＳ）、タイマのカウントを開始する（Ｓ１０５）。なお、ゾーン２出力がＯＦＦに設定されていても、ゾーン２セレクタがチューナセレクタであった場合、Ｓ３０１でＹＥＳと判断してもよい。制御部１１は、メインルームのセレクタを、ゾーン２セレクタと同一のセレクタに変更する（Ｓ３０２）。例えば、ゾーン２ルームのセレクタがチューナセレクタ（ＦＭ）である場合、メインルームのセレクタはチューナセレクタ（ＦＭ）に変更される。図１０の（Ａ）において操作部１８Ａが時計方向へ１ステップ回されたとき、ゾーン２出力がＯＮ設定であり、ゾーン２セレクタがチューナセレクタ（ＦＭ）である場合、表示部１３は図１０の（Ｂ）で示すように、チューナセレクタ（ＦＭ）が選択された状態となる。操作部１８Ａの操作によってチューナセレクタに切り替えられたとき、ゾーン２ルームのスピーカー３００Ｂから出力される音声信号は変更されない。ゾーン２セレクタがチューナセレクタではないと判断された場合（Ｓ３０１でＮＯ）、制御部１１は次のセレクタに切り替える。例えば、ゾーン２セレクタがＢＤであった場合、セレクタをセレクタテーブル１０１に基づき、チューナセレクタ（ＡＭ）に切り替える。
【００６４】
制御部１１は、Ｓ３０２の処理によってセレクタが変更された後、さらに操作部１８Ａが操作されたとき（Ｓ１０１でＹＥＳ）、タイマが開始済みであると判断し（Ｓ１０２でＹＥＳ）、タイマのカウント値が規定値より大きいか否かを判断し（Ｓ１０３）、規定値以下であると判断された場合（Ｓ１０３でＮＯ）、タイマを停止し（Ｓ１１２）、次のセレクタ（ＧＡＭＥ）に変更する（Ｓ１１３）。図１０の（Ｂ）において規定時間内に、操作部１８Ａが時計方向へ１ステップ回されたとき、図１０の（Ｃ）へ表示が変更される。
【００６５】
制御部１１は、タイマ値が規定値より大きいと判断したとき（Ｓ１０３でＹＥＳ）、図３のチューナプリセット１０２のプリセットの中で、ラジオチューナ１７が受信中のバンドと同一のバンドのプリセットに切り替える（Ｓ３０３）。例えば、ラジオチューナ１７が受信中のバンドがＦＭバンドの場合、制御部１１はチューナプリセット１０２のプリセット番号１、３又は４のうち、次のプリセット番号に切り替える。すなわち、ラジオチューナ１７がプリセット番号１の周波数を受信している場合、制御部１１はプリセットを次のプリセットである３番へ切り替える。なお、制御部１１はＳ３０３の処理によってラジオチューナ１７が受信する周波数を段階的に一定の刻みで変更してもよい。図１０の（Ｂ）において規定時間後に、操作部１８Ａが時計方向へ１ステップ回されたとき、図１０の（Ｄ）のように周波数が変更された状態が表示される。
【００６６】
制御部１１は、一定時間内にプリセットが確定されたか否かを判断し（Ｓ２０７）、確定されたと判断された場合（Ｓ２０７でＹＥＳ）、タイマを停止し（Ｓ３０４）、Ｓ１０１以降の処理に戻る。制御部１１は、一定時間内にプリセットが確定されなかったと判断した場合（Ｓ２０７でＮＯ）、Ｓ１０１以降の処理を実行する。さらに操作部１８Ａが操作されたとき、制御部１１は、Ｓ３０３の処理によって再度受信周波数またはプリセットを切り替える処理を実行する。図１０の（Ｄ）においてＳ２０７の処理による確定が実行されない場合、操作部１８Ａが時計方向へ１ステップ回されたとき、図１０の（Ｄ）において受信周波数が変更される。Ｓ２０７の処理による確定が実行された後、さらに操作部１８Ａが時計方向に１ステップ回されると、図１０の（Ｄ）から図１０の（Ｅ）の状態へ表示が変更される。
【００６７】
以上の本実施例によると、ゾーン２セレクタがチューナセレクタであった場合に、操作部１８Ａが操作され、チューナセレクタが選択されると、制御部１１はゾーン２で出力されている受信バンドと同一の受信バンドのセレクタに設定する。そして、操作部１８Ａが規定時間内に再度操作されると、制御部１１は、チューナセレクタ以外のセレクタへ変更する。その結果、ＡＶレシーバ２００のセレクタが操作部１８Ａの操作によって変更されるとき、ゾーン２ルームのスピーカー３００Ｂから出力される音声信号が不用意に別のバンドや別の周波数に変更されることがない。なお、図９の実施例ではゾーン２で聴取中の受信バンドと同一のバンドであればプリセットまたは周波数の変更を可能としたが、プリセット及び周波数の変更を禁止するようにしてもよい。
【００６８】
［セレクタ切替時の実施例４］
図１１は、第４の実施形態のフローチャートを示す。図５または図９と同一の処理には同一符号を付し、説明を省略する。図１２は図１１のフローチャートが実行されるときに表示部１３に表示される情報を示す。図１１の説明において、図１２を援用する。本実施形態では、ゾーン２ルームにおいてラジオチューナ１７で受信する音声信号を出力するように設定されていた場合、操作部１８Ａの操作によってセレクタが変更されると、制御部１１はゾーン２のチューナセレクタと同一のバンドのチューナセレクタに変更する。さらに操作部１８Ａの操作が実行されると、制御部１１は表示部１３の表示のみを異なるバンドの情報及び周波数に切り替え、一定時間経過後にラジオチューナ１７の受信バンド及び周波数の切替を実行する。
【００６９】
図１１のフローチャートにおいて、操作部１８Ａが最初に操作される前のＡＶレシーバ２００のセレクタはＢＤであるとする（図１２の（Ａ））。制御部１１は、操作部１８Ａが操作されたとき（Ｓ１０１でＹＥＳ）、タイマが開始されていないと判断し（Ｓ１０２でＮＯ）、切替先のセレクタがチューナセレクタ（ＡＭ）であると判断する（Ｓ１０４）。制御部１１は、ゾーン２セレクタがチューナセレクタであり、ゾーン２出力設定がＯＮであると判断し（Ｓ３０１でＹＥＳ）、タイマのカウントを開始し（Ｓ１０５）、制御部１１は、メインルームのセレクタを、ゾーン２セレクタと同一のセレクタに変更する（Ｓ３０２）。図１２の（Ａ）において操作部１８Ａが時計方向へ１ステップ回されたとき、ゾーン２出力がＯＮ設定であり、ゾーン２セレクタがチューナセレクタ（ＦＭ）である場合、表示部１３は図１２の（Ｂ）の状態となる。
【００７０】
制御部１１は、さらに操作部１８Ａが操作されたとき（Ｓ１０１でＹＥＳ）、タイマが開始済みであると判断し（Ｓ１０２でＹＥＳ）、タイマのカウント値が規定値より大きいと判断し（Ｓ１０３でＹＥＳ）、フラグがＯＮであるか否かを判断する（Ｓ４０１）。フラグの初期値はＯＦＦであるので、制御部１１は、フラグがＯＦＦであると判断し（Ｓ４０１でＮＯ）、表示部１３にＳ３０２で設定された受信バンドとは異なるバンドを表示する。このとき、表示部１３は図４の最終聴取プリセット１０３のプリセット値を表示する。例えば、Ｓ４０２によってＦＭバンドが表示されるとき、プリセット番号１のＦＭバンドが表示部１３に表示される（Ｓ４０２）。なお、Ｓ４０２の処理において、制御部１１は実際のラジオチューナ１７の制御を実行しない。また、Ｓ４０２の処理において、点滅表示等にすることにより、バンド及び周波数が確定していないことを明示する。図１２の（Ｂ）において操作部１８Ａが時計方向へ１ステップ回されたとき、表示部１３は図１２の（Ｄ）の状態となる。図１２の（Ｄ）では、図１２の（Ｂ）と異なるバンド（ＡＭバンド）を表示する。制御部１１は、ラジオチューナ１７へバンド及び周波数の切替設定を実行しないので、図１２の（Ｄ）では、表示のみが変更される。
【００７１】
制御部１１は、一定時間、操作部１８Ａが操作されるか否かを監視し（Ｓ４０３）、操作がされた場合（Ｓ４０３でＮＯ）、タイマを停止し（Ｓ４０７）、Ｓ１０１以降の処理に戻る。タイマが停止しているので、再度操作部１８Ａが操作されたとき、Ｓ１０２でＮＯと判断され、切り替え先セレクタはチューナセレクタ（ＡＭ）ではないと判断され（Ｓ１０４でＮＯ）、タイマを停止し（Ｓ１１２）、チューナセレクタ以外の次のセレクタ（ＧＡＭＥ）へ切り替える（Ｓ１１３）。なお、タイマはＳ４０７で停止済みなので、Ｓ１１２の処理は実行する必要がない。図１２の（Ｄ）において一定時間内に再度操作部１８Ａが時計方向へ１ステップ回されたとき、セレクタは図１２の（Ｇ）に示されるＧＡＭＥセレクタへ切り替わる。
【００７２】
一定時間操作がなかった場合（Ｓ４０３でＹＥＳ）、ラジオチューナ１７に対し、Ｓ４０２で表示中のバンド及び周波数を設定し（Ｓ４０４）、フラグをＯＮに変更し（Ｓ４０５）、Ｓ１０１以降の処理を実行する。一定時間は、例えば３秒などである。なお、一定時間以内に、バンドを確定する操作が実行されたときにＳ４０３でＹＥＳと判断してもよい。図１２の（Ｄ）において一定時間、操作部１８Ａが操作されないとき、図１２の（Ｅ）へ切り替わる。すなわち、ラジオチューナ１７へＡＭバンドの１５００Ｈｚを設定する。また、一定時間以内に操作部１８Ａが操作されたとき、Ｓ４０７のタイマ停止処理を実行せず、再度Ｓ４０２で他方のバンドを表示してもよい。その場合、表示は、図１２（Ｄ）から図１２の（Ｂ）へ変更される。
【００７３】
制御部１１は、図１２の（Ｅ）の状態において、さらに操作部１８Ａが操作されたとき（Ｓ１０１でＹＥＳ）、タイマ開始済みであると判断し（Ｓ１０２でＹＥＳ）、タイマ値が規定値より大きいと判断し（Ｓ１０３でＹＥＳ）、フラグがＯＮであると判断する（Ｓ４０１でＹＥＳ）。
【００７４】
制御部１１は、図３のチューナプリセット１０２を参照し、Ｓ４０４において設定された受信バンドと同一のバンドのプリセットを取得し、ラジオチューナ１７に設定する（Ｓ３０３）。なお、プリセットに従って周波数を変更する代わりに、段階的に一定の刻みで周波数を変更してもよい。図１２の（Ｅ）において、さらに操作部１８Ａが時計方向へ１ステップ回されたとき、図１２の（Ｆ）のように周波数が変更される。制御部１１は、一定時間内に確定がされたか否かを判断し（Ｓ２０７）、確定されないと判断された場合（Ｓ２０７でＮＯ）、Ｓ１０１以降の処理を実行する。制御部１１は、さらに操作部１８Ａが操作されたとき（Ｓ１０１でＹＥＳ）、タイマが開始済みであり（Ｓ１０２でＹＥＳ）、タイマのカウント値が規定値より大きいと判断し（Ｓ１０３でＹＥＳ）、フラグがＯＮであると判断し（Ｓ４０１でＹＥＳ）、Ｓ３０３以降の処理を再度実行する。
【００７５】
制御部１１は、プリセットが確定されたと判断した場合（Ｓ２０７でＹＥＳ）、フラグをＯＦＦに変更し（Ｓ４０６）、タイマを停止し（Ｓ４０７）、Ｓ１０１以降の処理を実行する。Ｓ２０７の処理によって受信周波数が確定された後（Ｓ２０７でＹＥＳ）、さらに操作部１８Ａが時計方向に１ステップ回されると、図１２の（Ｆ）から図１０の（Ｇ）（ＧＡＭＥセレクタ）へ変更される。
【００７６】
以上の実施形態４によると、操作部１８Ａの操作によってチューナセレクタに変更された後、さらに規定時間後に操作部１８Ａが操作された場合、受信バンドを変更する。受信バンドを変更するとき、表示部１３の表示のみをチューナプリセット１０２に登録されている値に変更し、一定時間経過後、ラジオチューナ１７にバンド及び周波数を設定する。操作部１８Ａが操作されてから実際にラジオチューナ１７のバンド及び周波数を切り替わるまでの間に再度操作部１８Ａを操作することで、ＡＶレシーバ２００のセレクタはチューナセレクタ以外のセレクタへ変更される。この結果、ラジオチューナ１７の受信バンドが不用意に切り替えられ、ゾーン２のスピーカー３００Ｂから出力される音声信号が変更されることを防止できる。
【００７７】
以上、本発明の好ましい実施形態について説明したが、本発明はこれらの実施形態には限定されない。テレビの入力切り替えに適用可能である。例えば、地上デジタル放送と、ＣＳ放送、またはＢＳ放送の切替などに適用可能である。ネットワークを介してサーバ等から配信されるインターネットラジオ等にも適用可能である。また、音声信号に代えて、映像信号の切替にも適用可能である。また、ゾーンの数は２よりも多くてもよい。
【産業上の利用可能性】
【００７８】
本発明は、ＡＶレシーバ、ＴＶ等の機器に好適に採用され得る。
【符号の説明】
【００７９】
１００          ソース機器
２００          ＡＶレシーバ
３００Ａ        スピーカー
３００Ｂ        スピーカー
１１              制御部
１２              メモリ
１３            表示部
１４            入力セレクタ
１５Ａ          音声処理部
１５Ｂ          音声処理部
１６Ａ          増幅部
１６Ｂ          増幅部
１７            ラジオチューナ
１８Ａ          操作部
１８Ｂ          操作部
【図１】
2013123151.tif 000003
【図２】
2013123151.tif 000004
【図３】
2013123151.tif 000005
【図４】
2013123151.tif 000006
【図５】
2013123151.tif 000007
【図６】
2013123151.tif 000008
【図７】
2013123151.tif 000009
【図８】
2013123151.tif 000010
【図９】
2013123151.tif 000011
【図１０】
2013123151.tif 000012
【図１１】
2013123151.tif 000013
【図１２】
2013123151.tif 000014